(57)【要約】【課題】長尺材に表面の汚れや付着した微粉などの付着物を除去したのち、長尺材の清浄度および乾燥度を高めることにより、洗浄の品質の向上を図ることができる長尺材の付着物除去方法を提供する。【解決手段】長尺材の表面に付着した付着物を除去したのち、該長尺材の表面を乾燥する付着物除去方法であって、長尺材の表面に付着した付着物を洗浄材により除去する洗浄工程と、洗浄後の長尺材の表面から水滴を吸収し、除去する水滴除去工程と、水滴を除去したのちの湿潤した長尺材の表面を乾燥させる乾燥工程とを含んでいる。【選択図】図１
2008255388.tif 000002
【特許請求の範囲】
【請求項１】
長尺材の表面に付着した付着物を除去したのち、該長尺材の表面を乾燥する付着物除去方法であって、
長尺材の表面に付着した付着物を洗浄材により除去する洗浄工程と、
洗浄後の長尺材の表面から水滴を吸収し、除去する水滴除去工程と、
水滴を除去したのちの湿潤した長尺材の表面を乾燥させる乾燥工程
とを含む長尺材の付着物除去方法。
【請求項２】
前記水滴除去工程に、長尺材の表面を回動自在に挟持するとともに、定期的に押圧する少なくとも一対の吸水ローラが用いられている請求項1記載の長尺材の付着物除去方法。
【請求項３】
前記吸水ローラの表層部に軟質の吸水材を用いる請求項２記載の長尺材の付着物除去方法。
【請求項４】
前記吸水材がスポンジまたは吸水性ゴムまたは吸水フェルトである請求項３記載の長尺材の付着物除去方法。
【請求項５】
前記洗浄工程が、洗浄材としてセラミックボールと洗浄水を用いて、第１槽内にセラミックボールと洗浄水を溜めたのち、該第１槽内に洗浄水を連続または間歇的に加圧噴射しながらセラミックボールを転動および流動させるとともに、長尺材の表面に接触させて洗浄する工程である請求項１、２、３または４記載の長尺材の付着物除去方法。
【請求項６】
前記セラミックボールは前記第１槽内の長尺材の表面を被う位置まで該第１槽に充填されている請求項５記載の長尺材の付着物除去方法。
【請求項７】
前記セラミックボールが、研磨性を有する砥粒を混入したセラミックボールである請求項５記載の長尺材の付着物除去方法。
【請求項８】
前記セラミックボールの外径が、長尺材が通過する第1槽の搬入通路部の通路径および搬出通路部の通路径より大きい請求項５記載の長尺材の付着物除去方法。
【請求項９】
前記セラミックボールの外径が、長尺材が通過する第1槽の搬入通路部および搬出通路部と長尺材とのあいだのスキマより大きい請求項５記載の長尺材の付着物除去方法。
【請求項１０】
前記乾燥工程が圧縮エアを長尺材の表面に噴射する工程である請求項１、２、３または４記載の長尺材の付着物除去方法。
【請求項１１】
請求項1記載の付着物除去方法に用いられる付着物除去装置であって、
長尺材の表面に付着した付着物を洗浄材により除去する洗浄装置と、
洗浄後の長尺材の表面から水滴を吸収し、除去する水滴除去手段と、
水滴を除去したのちの湿潤した長尺材の表面を乾燥させる乾燥手段
とを備えてなる長尺材の付着物除去装置。
【請求項１２】
前記水滴除去手段が、長尺材の表面を挟持するための少なくとも一対の吸水ローラと、該吸水ローラが取り付けられる軸と、該軸を支持するとともに該吸水ローラを定期的に押圧する押圧機構とを具備する請求項１１記載の長尺材の付着物除去装置。
【請求項１３】
前記押圧機構が、前記軸を支持するハウジングと、該ハウジングの外周から延設される第１の連結部および第２の連結部と、該第１の連結部を固定部材に回動自在に連結する回動支持部と、該第２の連結部に回動自在に連結されるアクチュエータである請求項１２記載の長尺材の付着物除去装置。
【請求項１４】
前記ハウジングに軸を回動自在に支持する軸受が組み込まれている請求項１３記載の長尺材の付着物除去装置。
【請求項１５】
前記吸水ローラが硬質部材と硬質部材の周りに設けられる軟質の吸水材とからなる請求項１２、１３または１４記載の長尺材の付着物除去装置。
【請求項１６】
前記吸水材がスポンジまたは吸水性ゴムまたは吸水フェルトである請求項１５記載の長尺材の付着物除去装置。
【請求項１７】
前記洗浄装置が、洗浄材としてセラミックボールと洗浄水を用いて、基台と、基台に立設される一対の支柱と、該一対の支柱に支持される前記長尺材の搬入部と搬出部を有するとともに前記セラミックボールと洗浄水を溜める第１槽と、該第１槽内に洗浄水を連続または間歇的に加圧噴射する噴射手段とを具備してなる請求項１１、１２、１３または１４記載の長尺材の付着物除去装置。
【請求項１８】
前記第１槽の搬入部と搬出部を回動自在に支持するために前記一対の支柱に設けられる軸受と、前記長尺材の搬入部および搬出部のうちいずれか一方に連結して前記第１槽を傾動させる傾動手段を具備してなる請求項１７記載の長尺材の付着物除去装置。
【請求項１９】
前記傾動手段が、前記第１槽内に貯留されるセラミックボールを転動移動させて該第１槽の搬入部の搬入通路部から搬出部の搬出通路部までの長尺材の通路を確保する状態の位置に該第１槽を傾動させるアクチュエータである請求項１８記載の長尺材の付着物除去装置。
【請求項２０】
前記第１槽から排出される洗浄水を回収するために該第１槽の下部周辺部に設けられる第２槽と、前記第２槽から排出される洗浄水を清浄化するろ過部と、該清浄化された洗浄水を貯留する液貯蔵槽と、該液貯蔵槽に回収された洗浄水を前記噴射手段に供給する循環装置とを具備してなる請求項１７記載の長尺材の付着物除去装置。
【請求項２１】
前記セラミックボールは前記第１槽内の長尺材の表面を被う位置まで該第１槽に充填されている請求項１７記載の長尺材の付着物除去装置。
【請求項２２】
前記セラミックボールが、研磨性を有する砥粒を混入したセラミックボールである請求項１７記載の長尺材の付着物除去装置。
【請求項２３】
前記セラミックボールの外径が、長尺材が通過する第1槽の搬入通路部の通路径および搬出通路部の通路径より大きい請求項１７記載の長尺材の付着物除去装置。
【請求項２４】
前記セラミックボールの外径が、長尺材が通過する第1槽の搬入通路部および搬出通路部と長尺材とのあいだのスキマより大きい請求項１７記載の長尺材の付着物除去装置。
【請求項２５】
前記乾燥手段が、圧縮エアを噴射する乾燥ノズル手段と、エアポンプとを具備する請求項１１、１２、１３または１４記載の長尺材の付着物除去装置。
【発明の詳細な説明】
【技術分野】
【０００１】
本発明は長尺材の付着物除去方法および付着物除去装置に関する。さらに詳しくは、たとえばブラスト処理または伸線加工された、断面形状が円形、矩形または多角形などの長尺材の表面に付着した汚れや異物を除去したのち、該長尺材の表面を乾燥する長尺材の付着物除去方法および付着物除去装置に関する。
【背景技術】
【０００２】
従来より、長尺材の表面の汚れや付着した異物を除去する洗浄方法として、伸線加工により得られた長尺材をセラミック粒子と洗浄水が充填された振動する容器の内部を通過させる振動洗浄工程と、該容器を通過した長尺材を水洗する水洗工程と、水洗後の表面が湿潤状態にある長尺材の表面にフェルトなどからなる一対のベルトを押圧する拭取り工程とを含む洗浄方法がある(特許文献１参照)。
【０００３】
【特許文献１】特開平１０−２８０１７８号公報
【発明の開示】
【発明が解決しようとする課題】
【０００４】
しかしながら、この洗浄方法では、振動洗浄工程で長尺材が上下左右または円周方向に揺れるため、振動容器に設けられた長尺材の通過孔と緊張した長尺材が触れたり、擦ったりして双方に表面キズが発生しやすい。この表面キズの発生を防止するため、前記通過孔を大きくするとセラミック粒子が長尺材と通過孔とのあいだのスキマに噛み込んだり、セラミック粒子が流出するという問題がある。
また、洗浄後に長尺材を拭取るためにベルトを使用しているが、前工程室の水洗槽の長尺材の通過孔から噴き出る水が長尺材の表面を伝って前記ベルトまで誘導されるため、該ベルトによる表面の拭取りでは充分に水分を除去することが難しい。このため、毎分２００ｍを超える高速で処理される長尺材の洗浄後の清浄度および乾燥度は充分でないという問題がある。
また、長時間稼働の場合、乾燥度の低下したベルトのメンテナンスや取換えのためラインを停止しなければならないという問題もある。
【０００５】
そこで、本発明は、叙上の事情に鑑み、長尺材に表面の汚れや付着した微粉などの付着物を除去したのち、長尺材の清浄度および乾燥度を高めることにより、洗浄の品質の向上を図ることができる長尺材の付着物除去方法および付着物除去装置を提供することを目的とする。
【課題を解決するための手段】
【０００６】
本発明の長尺材の付着物除去方法は、長尺材の表面に付着した付着物を除去したのち、該長尺材の表面を乾燥する付着物除去方法であって、長尺材の表面に付着した付着物を洗浄材により除去する洗浄工程と、洗浄後の長尺材の表面から水滴を吸収し、除去する水滴除去工程と、水滴を除去したのちの湿潤した長尺材の表面を乾燥させる乾燥工程とを含むことを特徴としている。
前記水滴除去工程に、長尺材の表面を回動自在に挟持するとともに、定期的に押圧する少なくとも一対の吸水ローラを用いるのが好ましい。
前記吸水ローラの表層部に軟質の吸水材を用いるのが好ましい。
前記吸水材がスポンジまたは吸水性ゴムまたは吸水フェルトであるのが好ましい。
前記洗浄工程が、洗浄材としてセラミックボールと洗浄水を用いて、第１槽内にセラミックボールと洗浄水を溜めたのち、該第１槽内に洗浄水を連続または間歇的に加圧噴射しながらセラミックボールを転動および流動させるとともに、長尺材の表面に接触させて洗浄する工程であるのが好ましい。
前記セラミックボールは前記第１槽内の長尺材の表面を被う位置まで該第１槽に充填されているのが好ましい。
前記セラミックボールが、研磨性を有する砥粒を混入したセラミックボールであるのが好ましい。
前記セラミックボールの外径が、長尺材が通過する第1槽の搬入通路部の通路径および搬出通路部の通路径より大きいのが好ましい。
前記セラミックボールの外径が、長尺材が通過する第1槽の搬入通路部および搬出通路部と長尺材とのあいだのスキマより大きいのが好ましい。
前記乾燥工程が圧縮エアを長尺材の表面に噴射する工程であるのが好ましい。
【０００７】
さらに、本発明の長尺材の付着物除去装置は、前記付着物除去方法に用いられる付着物除去装置であって、長尺材の表面に付着した付着物を洗浄材により除去する洗浄装置と、洗浄後の長尺材の表面から水滴を吸収し、除去する水滴除去手段と、水滴を除去したのちの湿潤した長尺材の表面を乾燥させる乾燥手段とを備えてなることを特徴としている。
前記水滴除去手段が、長尺材の表面を挟持するための少なくとも一対の吸水ローラと、該吸水ローラが取り付けられる軸と、該軸を支持するとともに該吸水ローラを定期的に押圧する押圧機構とを具備するのが好ましい。
前記押圧機構が、前記軸を支持するハウジングと、該ハウジングの外周から延設される第１の連結部および第２の連結部と、該第１の連結部を固定部材に回動自在に連結する回動支持部と、該第２の連結部に回動自在に連結されるアクチュエータであるのが好ましい。
前記ハウジングに軸を回動自在に支持する軸受が組み込まれているのが好ましい。
前記吸水ローラが硬質部材と硬質部材の周りに設けられる軟質の吸水材とからなるのが好ましい。
前記吸水材がスポンジまたは吸水性ゴムまたは吸水フェルトであるのが好ましい。
前記洗浄装置が、洗浄材としてセラミックボールと洗浄水を用いて、基台と、基台に立設される一対の支柱と、該一対の支柱に支持される前記長尺材の搬入部と搬出部を有するとともに前記セラミックボールと洗浄水を溜める第１槽と、該第１槽内に洗浄水を連続または間歇的に加圧噴射する噴射手段とを具備しているのが好ましい。
前記第１槽の搬入部と搬出部を回動自在に支持するために前記一対の支柱に設けられる軸受と、前記長尺材の搬入部および搬出部のうちいずれか一方に連結して前記第１槽を傾動させる傾動手段を具備しているのが好ましい。
前記傾動手段が、前記第１槽内に貯留されるセラミックボールを転動移動させて該第１槽の搬入部の搬入通路部から搬出部の搬出通路部までの長尺材の通路を確保する状態の位置に該第１槽を傾動させるアクチュエータであるのが好ましい。
前記第１槽から排出される洗浄水を回収するために該第１槽の下部周辺部に設けられる第２槽と、前記第２槽から排出される洗浄水を清浄化するろ過部と、該清浄化された洗浄水を貯留する液貯蔵槽と、該液貯蔵槽に回収された洗浄水を前記噴射手段に供給する循環装置とを具備しているのが好ましい。
前記セラミックボールは前記第１槽内の長尺材の表面を被う位置まで該第１槽に充填されているのが好ましい。
前記セラミックボールが、研磨性を有する砥粒を混入したセラミックボールであるのが好ましい。
前記セラミックボールの外径が、長尺材が通過する第1槽の搬入通路部の通路径および搬出通路部の通路径より大きいのが好ましい。
前記セラミックボールの外径が、長尺材が通過する第1槽の搬入通路部および搬出通路部と長尺材とのあいだのスキマより大きいのが好ましい。
前記乾燥手段が、圧縮エアを噴射する乾燥ノズル手段と、エアポンプとを具備しているのが好ましい。
【発明の効果】
【０００８】
本発明によれば、洗浄後の長尺材の表面から水滴を吸収し、除去するため、乾燥工程における長尺材の清浄度および乾燥度を高めることができる。
また、洗浄材としてセラミックボールと洗浄水を用いて、洗浄水を連続または間歇的に加圧噴射しながらセラミックボールを転動および流動させ、長尺材の表面に接触させて洗浄することにより、長尺材に表面の汚れや付着した微粉などの付着物を除去する洗浄力が高く、洗浄の品質の向上を図ることができる。
さらに、洗浄水を加圧噴射させることにより、汚れや付着した微粉などを長尺材の表面より遠ざけることができるため、これらが再び表面に付着しないという二次的な表面汚染も回避できる。
また、本発明によれば、長尺材の乾燥は毎分２００ｍで走行する長尺材の表面に付着した水滴であっても、弾性体である吸水ローラにより密着してスキマなく長尺材の表面に接触しているため、前記水滴を確実に除去したのちに行われている。これにより、省エネかつ稼働中のメンテナンスフリーで、洗浄の品質の向上と高稼働率化を図ることができる。
【発明を実施するための最良の形態】
【０００９】
本発明は、長尺材の表面を研掃するショットブラスト装置、ビレットやブルーム、帯板(フープ)材などの鋼片搬送装置、たとえロールブラシと調整車などを用いて長尺材を研削するセンターレス研磨装置、ベンディングとロールブラシによる表面スケール除去装置、砥粒入りウォータジェットによる表面検索装置などによる表面処理後の洗浄工程において、洗浄材、たとえばセラミックボールと洗浄水を用いて、セラミックボールを転動および流動させながら長尺材に接触させることにより汚れや付着物などの付着物を落としたのち、乾燥工程の前に洗浄後の長尺材の表面から水滴を吸収し、除去する工程を行っている。この水滴除去工程では、長尺材の表面を回動自在に挟持するとともに、定期的に押圧する少なくとも一対の吸水ローラが用いられている。この一対の吸水ローラは通過中の長尺材の摩擦により回動自在である。この吸水ロールが回動すると、吸水機能が高い部分で長尺材の表面を挟持するため、長尺材の表面から水滴を吸収し、除去する機能を維持することができる。また、この一対の吸水ローラを定期的に押圧することにより、吸水された水を押し出して、吸水機能を回復させることができる。
また、本発明は、長尺材の洗浄後の洗浄水を回収し付着物を除去した清浄化された洗浄水を循環させるようにしている。
また、本発明における長尺材は、とくに限定されるものではないが、直径が２〜２０ｍｍであり、断面形状が円形、矩形または多角形などの線材、または円筒形または矩形などの金属管とすることができる。また、この長尺材の材質としては、鋼、銅、アルミニウムまたは合金鋼などとすることができる。
【００１０】
以下、添付図面に基づいて本発明の長尺材の付着物除去方法および付着物除去装置を説明する。本発明の一実施の形態にかかわる長尺材の付着物除去装置は、図１〜６に示されるように、長尺材Ｗの表面に付着した付着物を洗浄材により除去する洗浄装置Ａと、洗浄後の長尺材Ｗの表面から水滴を吸収し、除去する水滴除去手段Ｂと、水滴を除去したのちの湿潤した長尺材Ｗの表面を乾燥させる乾燥手段Ｃとを備えている。前記洗浄材は、室温の水、温水またはこれらのいずれかと必要に応じて長尺材の防錆を目的とした薬品などを加えた洗浄水を含むものであれば、本発明において、とくに限定されるものではないが、セラミックボールとともに用いることにより長尺材の表面の汚れや付着物を脱落させる物理的な力を加えることでき、洗浄効率を高めることができるため、セラミックボールと洗浄水であるのが好ましい。
また、このセラミックボールは、洗浄水とともに自由に転動し、流動できる形状であれば、完全な球形の他、球形に近い楕円形（すなわち、アスペクト比が１に近い楕円形）や多面体形状などの球形状体とすることができる。また、このセラミックボールに、研磨性を有する砥粒を混入したセラミックボールを用いることにより、長尺材に接触する場合、接触部で転動研磨を行い、長尺材の表面清浄度を向上させることができる。
【００１１】
前記洗浄装置Ａは、基台１と、該基台１に立設される一対の支柱２と、該一対の支柱２に支持される第１槽３と、該第１槽３内に洗浄水を連続または間歇的に加圧噴射する噴射手段Ｄとを具備している。前記第１槽３は、セラミックボールと洗浄水を溜めることができるように、有底のボックス形状を呈しており、前記長尺材Ｗの搬入部としての搬入側支持軸４と搬出部としての搬出側支持軸５を有している。前記セラミックボールは前記第１槽３内の長尺材Ｗの表面を被う位置まで該第１槽に充填されている。前記搬入側支持軸４と搬出側支持軸５には、長尺材Ｗを通過させるための、搬入通路４ａと搬出通路５ａが形成されている。この搬入通路４ａの通路径および搬出通路５ａの通路径は、長尺材Ｗが通過できる大きさであり、前記セラミックボールが流出しないように該セラミックボールの外径より小さい径に設定されている。また、前記長尺材Ｗの断面がセラミックボールの外径より大きい場合は、搬入通路４ａおよび搬出通路５ａと長尺材Ｗとのあいだのスキマより大きいセラミックボールの外径（ボール径）を選択するのが好ましい。
【００１２】
前記第１槽３は、その下部に所定の個数の流通孔が形成されるステンレス製の金網やパンチングメタルなどのメッシュ部材６が固設されている。前記噴射手段Ｄは、その噴射口が前記メッシュ部材６の下面に向くように第１槽３の下部側面に設けられている。本実施の形態では、浄長尺材Ｗの表面に付着した異物を効率よく脱落させるため、前段の荒洗浄仕上げ用セラミックボールと後段の微細洗仕上げ用セラミックボールとでその種類（大きさまたは形状）の変更ができるように、該第１槽３が、長尺材Ｗを通す孔（図示せず）を有する内壁板７により２室に区画されている。このため、前記メッシュ部材６と噴射手段Ｄは各室に設けられている。
また、第１槽３の側壁のうち、長尺材Ｗの搬送方向に対向する側壁３ａ、３ｂには、図６に示されるように、搬入通路４ａと搬出通路５ａと同様の側壁搬入通路（図示せず）と側壁搬出通路８が形成されており、該側壁搬入通路と側壁搬出通路８から廃液（洗浄水）を流出させるために側壁３ａ、３ｂの外壁面には排出通路部材９、１０が設けられている。この側壁搬入通路と側壁搬出通路８の通路径および排出通路部材９、１０の長尺材Ｗの通路の通路径は、ともに前記搬入通路４ａと搬出通路５ａと同様に前記セラミックボールが流出しないように該セラミックボールの外径より小さい径に設定されている。なお、本実施の形態では、該側壁搬入通路、排出通路部材９の通路および搬入通路４ａを含めて搬入通路部といい、該側壁搬出通路８、排出通路部材１０の通路および搬出通路５ａを含めて搬出通路部という。
さらに、本実施の形態では、該排出通路部材９、１０から搬入通路４ａおよび搬出通路５ａを伝って装置外に洗浄水が流出するのを防止するために、前記搬入側支持軸４および搬出側支持軸５の垂直方向に貫通孔１１、１２が形成されている。
また、前記長尺材Ｗの搬送方向に直行する第１槽３の対向する両壁３ｃ、３ｄのうち一方の側壁３ｃには、上下部に形成される開口部に透明な樹脂板１３が嵌め込まれているとともに、上端の開口部にも透明な樹脂板１４が嵌め込まれている。また、前記第１槽３の他方の側壁３ｄには、第１槽３内のセラミックボールが前記側壁搬入通路と側壁搬出通路８からの洗浄水の排出を妨げて、前記排出通路部材９、１０および貫通孔１１、１２からの洗浄水の流出が充分でない場合、第１層３にあふれる洗浄水を排出するために、所定の個数と形状の排出口１５が設けられている。
また、本実施の形態では、前記第１槽３から排出される洗浄水を回収するために該第１槽３の下部周辺部に第２槽２１が設けられている。この第２槽２１は、基台１に設けられる支持台２２に固定されている。そして、この第２槽２１から排出管２３を介して排出される洗浄水は、該洗浄水をろ過するためのろ過部２４と、該ろ過部２４により清浄化された洗浄水を貯留する液貯蔵槽２５と、該液貯蔵槽２５に回収された洗浄水を前記噴射手段Ｄに供給する循環装置２６とにより、前記噴射手段Ｄから噴射される洗浄水として循環させて再利用される。
【００１３】
前記噴射手段Ｄは、前記噴射口から洗浄水を加圧噴射することができるものであれば、とくに限定されるものではないが、本実施の形態では、噴射ノズル３１、ホースおよび配管類を含む連結具３２、噴射量の制御弁（図示せず）および噴射時間のタイマー（図示せず）などを具備している。そして、この制御弁の制御や、タイマー制御、前記連続または間歇的な加圧噴射の制御プログラムは制御盤Ｅに格納されている。なお、洗浄水として温水を用いる場合には、循環装置２６は昇温器を具備している。
【００１４】
前記搬入側支持軸４と搬出側支持軸５は、前記一対の支柱２に設けられる軸受３３、３４により回動自在に支持されている。また、前記第１槽３は前記搬入側支持軸４と搬出側支持軸５のうち、搬入側支持軸４に連結される傾動手段Ｆにより傾動自在にされている。この傾動手段Ｆは、図６〜７に示されるように、長尺材Ｗを挿通するときに、前記第１槽３内に貯留されるセラミックボールを転動移動させて該第１槽３の搬入側支持軸４の搬入通路４ａから搬出側支持軸５の搬出通路５ａまでの長尺材Ｗの通路を確保する状態の位置に該第１槽３を傾動させるエアシリンダや、油圧シリンダ、サーボシリンダなどのアクチュエータを用いることができ、とくに限定されるものではないが、本実施の形態では、エアシリンダ３５が用いられている。なお、図７において、符号Ｌは、第１槽３内に溜められるセラミックボールが第１槽３の転倒により移動して前記側壁搬出通路８と搬出通路５ａとを塞がない当該セラミックボール層の表面を示す。また、同様に前記側壁搬入通路と搬入通路４ａもセラミックボールにより塞がらない。
これにより、従来の洗浄方法では、洗浄装置として長尺材をセラミック粒子を充填した容器内に入線させるとき、初期作業として容器の長尺材の搬入通路から搬出通路までの該容器内のセラミック粒子を排除しながらの入線作業が必要であり、多大な段取り時間を要するという問題があるのに対して、本実施の形態では、前記第１槽３を傾動させて長尺材Ｗを通過させるため、前記入線作業時間を短縮することができる。
【００１５】
前記エアシリンダ３５は、側部が基台１に設けられる回動支持部３６に連結され、ロッド先端部３５ａがリンク機構３７を介して搬入側支持軸４に回動自在に軸支されている。これにより、前記第１槽３は、セラミックボールを転動移動させて長尺材Ｗの洗浄効果を高めるために、定期的にエアシリンダ３５により第１槽３を傾動させるのが好ましいが、本発明においては、前記噴射手段Ｄによりセラミックボールを転動移動させて充分洗浄効果を高めることができるので、とくに第１槽３は洗浄中に傾動させる必要がなく、前述したように長尺材Ｗを挿通させるときに傾動させるようにすることができる。
【００１６】
前記水滴除去手段Ｂは、長尺材Ｗの表面を挟持するための一対の吸水ローラ４１と、該吸水ローラ４１が取り付けられる軸４２と、該軸４２を支持するとともに該吸水ローラ４１を定期的に押圧する押圧機構４３とを具備している。なお、本実施の形態では、前記吸水ローラ４１は、長尺材Ｗの表面を挟持するために一対設けられているが、とくにこれに限定されるものではなく、吸水効果を高めるために２対以上設けることができる。
また、前記吸水ローラ４１は、本発明において、吸水機能を有していれば、その構造はとくに限定されるものではないが、本実施の形態では、前記軸４２に挿通される硬質部材としてのリング状の芯金４１ａと該芯金４１ａの周りに設けられる軟質の吸水材４１ｂとからなる。この吸水材４１ｂとしては、たとえばスポンジや、吸水性ゴム（たとえば連泡、単泡性ゴムなど）、または化学繊維や植物繊維からなる吸水フェルトなどを用いることができる。
前記押圧機構４３は、本発明において、とくに限定されるものではないが、本実施の形態では、前記軸４２を支持するハウジング４４と、該ハウジング４４の外周から延設される二股形状の第１の連結部４５および第２の連結部４６と、該第１の連結部４５をケース４７にブラケット４８ａを介して設けられる固定部材４８に回動自在に連結する回動支持部としてのピン４９と、該第２の連結部４６に回動自在に連結されるアクチュエータ５０とから構成されている。このアクチュエータ５０としては、たとえばエアシリンダを用いることができる。また、このアクチュエータ５０の定期的な作動は、前記制御盤Ｅに搭載されるコントローラにより制御される。また、前記ケース４７の下部には、前記液貯蔵槽２５に洗浄水を回収するための排水管４７ａが設けられている。
本実施の形態では、前記一対の吸水ローラ４１を定期的に押圧することにより、吸水された水を押し出（排出）して、吸水機能を維持することができる。
また、本実施の形態では、前記ハウジング４４に軸４２を回動自在に支持する軸受（図示せず）が組み込まれている。このため、この一対の吸水ローラ４１は通過中の長尺材Ｗとの摩擦により回動自在になる。この吸水ロール４１が回動すると、吸水機能が高い部分で長尺材Ｗの表面を挟持するため、長尺材Ｗの表面から水滴を吸収し、除去する機能を維持することができる。
また、長尺材Ｗの再供給により別の長尺材を通過させる場合、一旦一対の吸水ローラ４１を離間させるが、このとき前回の長尺材Ｗの表面から吸着した水分を該吸水ローラ４１から搾り出すために、図５に示されるように該吸水ローラ４１に接近した部位に当接部材６１を設けるのが好ましい。
【００１７】
前記乾燥手段Ｃは、圧縮エアを噴射する乾燥ノズル手段と、エアポンプ５１とを具備している。該乾燥ノズル手段は、前記ケース４７の内壁に固定されるブラケット５２の下部において長尺材Ｗを挟む位置に配設される一対のノズル５３から構成されている。また、この一対のノズル５３は、対向する面に該長尺材Ｗを通過させる通路５３ａが形成されている。このノズル５３とエアポンプ５１とはホース５４および配管類を含む連結具５５により連結されている。なお、前記圧縮エアは、乾燥していれば室温のエアまたは温風（加熱されたエア）とすることができる。温風を噴射する場合には、エアポンプ５１として空気昇温器を備えるエアポンプを用いる。
また、本実施の形態では、前記圧縮エアを長尺材に吹き付けて乾燥させているが、本発明においては、この吹き付けている圧縮エアをさらに前記一対の吸水ローラ４１に吹き付けて長尺材Ｗから吸水した水分を蒸発させることにより、該吸水ローラ４１による吸水効果を高めることができる。たとえば、圧縮エアを一対の吸水ローラ４１へ向けて吹き付ける構造は、ノズル５３の通路５３ａの入口端面（長尺材Ｗが搬入する側のノズル５３の端面）から一対の吸水ローラ４１の挟持面（合わせ面）に向けて配置したパイプにより行うことができる。
【図面の簡単な説明】
【００１８】
【図１】本発明の一実施の形態にかかわる長尺材の付着物除去装置の一部切欠きの正面図である。
【図２】図１の一部切欠きの平面図である。
【図３】図１の要部拡大図である。
【図４】図２の要部拡大図である。
【図５】図１の一部切欠きの右側面図である。
【図６】図２のＩ−Ｉ線の断面矢視図である。
【図７】図６の第１槽を転倒したときの状態を示す図である。
【符号の説明】
【００１９】
Ａ          洗浄装置
Ｂ          水滴除去手段
Ｃ          乾燥手段
Ｄ          噴射手段
Ｅ          制御盤
Ｗ          長尺材
１          基台
２          支柱
３          第１槽
３ａ、３ｂ、
３ｃ、３ｄ  側壁
４          搬入側支持軸
５          搬出側支持軸
４ａ        搬入通路
５ａ        搬出通路
６          メッシュ部材
７          内壁板
８          側壁搬出通路
９、１０    排出通路部材
１１、１２  通孔貫
１３、１４  樹脂板
１５        排出口
２１        第２槽
２２        支持台
２３        排出管
２４        ろ過部
２５        液貯蔵槽
２６        循環装置
３１        噴射ノズル
３２        連結具
３３、３４  軸受
３５        エアシリンダ
３５ａ      ロッド先端部
３６        回動支持部
３７        リンク機構
４１        吸水ローラ
４１ａ      芯金
４１ｂ      吸水材
４２        軸
４３        押圧機構
４４        ハウジング
４５        第１の連結部
４６        第２の連結部
４７        ケース
４７ａ      排水管
４８        固定部材
４８ａ      ブラケット
４９        ピン
５０        アクチュエータ
５１        エアポンプ
５２        ブラケット
５３        ノズル
５３ａ      通路
５４        ホース
５５        連結具
【図１】
2008255388.tif 000003
【図２】
2008255388.tif 000004
【図３】
2008255388.tif 000005
【図４】
2008255388.tif 000006
【図５】
2008255388.tif 000007
【図６】
2008255388.tif 000008
【図７】
2008255388.tif 000009